(57)【要約】【課題】簡単な構成で、外部衝撃をより効果的に吸収可能な時計を提供する。【解決手段】時計１は、時刻を表示する指針を駆動させるムーブメント１０と、ムーブメント１０を保持する略環状の保持枠３０と、ムーブメント１０を時計厚み方向の両側から挟持する第一緩衝部材４１および第二緩衝部材４２と、ムーブメント１０、ムーブメント１０を保持した保持枠３０、保持枠３０を挟む第一緩衝部材４１および第二緩衝部材４２を収納する外装部材２と、を具備した。【選択図】図２
2010281663.tif 000002
【特許請求の範囲】
【請求項１】
時刻を表示する指針を駆動させるムーブメントと、
前記ムーブメントを保持する略環状の保持枠と、
前記ムーブメントを時計厚み方向の両側から挟持する緩衝部材と、
前記ムーブメント、前記保持枠、および前記緩衝部材を収納する外装部材と、
を具備したことを特徴とする時計。
【請求項２】
請求項１に記載の時計において、
前記外装部材に固定されるとともに、前記ムーブメントの時計厚み方向の一端面の少なくとも一部、および前記保持枠の時計厚み方向に一端面の少なくとも一部に当接する当接部材と、
前記ムーブメントの外周部に設けられ、前記保持枠に向かって突出する留め爪と、を備え、
前記保持枠は、前記ムーブメントに対向する面に、前記留め爪を係合する係合孔を備え、
前記ムーブメントは、前記当接部材および前記留め爪により、前記保持枠との間に隙間が介在される状態で保持される
ことを特徴とする時計。
【請求項３】
請求項１または請求項２に記載の時計において、
前記緩衝部材は、前記ムーブメントの厚み方向における一端側に設けられるとともに、前記ムーブメントの一端面および側面に当接する断面Ｌ字型の環状の第一緩衝部材、および前記ムーブメントの厚み方向における他端側に設けられるとともに、前記ムーブメントの他端面および側面に当接する断面Ｌ字型の環状の第二緩衝部材を有する
ことを特徴とする時計。
【請求項４】
請求項１または請求項２に記載の時計において、
前記緩衝部材は、前記ムーブメントの前記時計厚み方向における両端面および側面を覆う断面コ字型の環状に形成される
ことを特徴とする時計。
【発明の詳細な説明】
【技術分野】
【０００１】
本発明は、内部にムーブメントが収納された時計に関する。
【背景技術】
【０００２】
従来、外装部材の内部にムーブメントを収納し、ムーブメントにより指針を制御することで時刻を表示させる時計がある。このようなムーブメントは、外部からの衝撃により、例えば、指針を駆動する歯車の駆動周期がずれるなどして、時計の精密動作に影響を与える場合がある。これに対して、外部衝撃からムーブメントを保護するために、ムーブメントを保持する保持部材と、外装部材との間に緩衝部材を設けた時計構成が知られている（例えば、特許文献１参照）。
【０００３】
この特許文献１に記載の時計では、ムーブメントを保持する支持板と時計の底部との間、支持板の外周側面と時計の外装本体との間にそれぞれ緩衝部材を設け、外部からの衝撃を緩和する構成が採られている。
【先行技術文献】
【特許文献】
【０００４】
【特許文献１】特開２０００―２４９７７５号公報
【発明の概要】
【発明が解決しようとする課題】
【０００５】
ところで、上記特許文献１では、ムーブメントの側面、および底部からの衝撃を緩衝することができるが、上部からの衝撃に対して効果が小さく、十分な緩衝作用が得られないという問題がある。
【０００６】
本発明は、上記のような問題に鑑みて、簡単な構成で、外部衝撃をより効果的に吸収可能な時計を提供することを目的とする。
【課題を解決するための手段】
【０００７】
本発明の時計は、時刻を表示する指針を駆動させるムーブメントと、前記ムーブメントを保持する略環状の保持枠と、前記ムーブメントを時計厚み方向の両側から挟持する緩衝部材と、前記ムーブメント、前記保持枠、および前記緩衝部材を収納する外装部材と、を具備したことを特徴とする。
【０００８】
この発明によれば、ムーブメントは、時計厚み方向の両側から緩衝部材に挟持された保持枠に保持されて、外装部材の内部に収納されている。これにより、時計に衝撃が加わった場合でも、緩衝部材により衝撃を緩和することができる。特に、腕時計では、通常携帯時に時計の厚み方向から衝撃が加わる場合が多く想定され、このような場合、時計厚み方向に対して衝撃を適切に緩和させる必要がある。これに対して、本発明の時計では、保持枠は、時計厚み方向の両側から緩衝部材で挟持されているため、上記のような時計厚み方向の衝撃を効果的に緩和させることができ、ムーブメントへの衝撃の伝達を防止することができ、時計精度を良好に維持することができる。
【０００９】
本発明の時計は、前記外装部材に固定されるとともに、前記ムーブメントの時計厚み方向の一端面の少なくとも一部、および前記保持枠の時計厚み方向に一端面の少なくとも一部に当接する当接部材と、前記ムーブメントの外周部に設けられ、前記保持枠に向かって突出する留め爪と、を備え、前記保持枠は、前記ムーブメントに対向する面に、前記留め爪を係合する係合孔を備え、前記ムーブメントは、前記当接部材および前記留め爪により、前記保持枠との間に隙間が介在される状態で保持されることが好ましい。
【００１０】
この発明では、ムーブメントの外周部に留め爪が外周方向に突出して設けられ、この留め爪が保持枠に形成される係合孔に係合され、ムーブメントの一端面の一部である例えば外周縁に沿って、外装部材に固定される当接部材が当接する。このような構成では、ムーブメントは、当接部材および留め爪により、それぞれ時計厚み方向に沿って相対する方向に保持応力が作用することで、保持枠との間に隙間を介した状態で保持される。すなわち、ムーブメントは、外装部材内で浮いた状態となる。
このような構成では、外装部材に衝撃が加わった場合でも、ムーブメントに衝撃力が伝達される位置が、留め爪、および当接部材とムーブメントとの当接部のみとなり、衝撃が加えられる面積が小さくなる。したがって、ムーブメントへの衝撃の伝達をより確実に防止することができ、衝撃による時計精度の悪化なども確実に防止することができる。
また、当接部材は保持枠にも当接しているため、外装部材に衝撃が加わった場合でも、その衝撃力を保持枠に逃がすことができ、この保持枠は上記のように緩衝部材により時計厚み方向における両端側が保持されているため、保持枠に逃がされた衝撃力は緩衝部材に吸収されることとなる。さらに、留め爪を、例えば金属などの弾性力を有する素材により形成する場合では、留め爪が撓むことで外部からの衝撃を吸収することもでき、ムーブメントへの衝撃の伝達をより確実に防止することができる。
【００１１】
本発明の時計では、前記緩衝部材は、前記ムーブメントの厚み方向における一端側に設けられるとともに、前記ムーブメントの一端面および側面に当接する断面Ｌ字型の環状の第一緩衝部材、および前記ムーブメントの厚み方向における他端側に設けられるとともに、前記ムーブメントの他端面および側面に当接する断面Ｌ字型の環状の第二緩衝部材を有することが好ましい。
【００１２】
この発明では、第一緩衝部材および第二緩衝部材により保持枠を挟むことで、時計の厚み方向に沿う衝撃力を吸収することができる。これに加えて、第一緩衝部材および第二緩衝部材が断面Ｌ字型に形成され、保持枠の外周面にも当接しているため、時計厚み方向に直交する水平方向からの衝撃もこれらの緩衝部材により吸収することができ、ムーブメントへの衝撃力の伝達をより確実に防止することができる。
【００１３】
本発明の時計は、前記緩衝部材は、前記ムーブメントの前記時計厚み方向における両端面および側面を覆う断面コ字型の環状に形成される構成としてもよい。
この発明では、上記発明と同様、緩衝部材により保持枠の時計厚み方向の両側を挟むことで、時計厚み方向の衝撃を吸収でき、緩衝部材が保持枠の外周面を覆うため、水平方向からの衝撃をも吸収することができる。したがって、上記発明と同様に、ムーブメントへの衝撃力の伝達をより確実に防止することができる。
【図面の簡単な説明】
【００１４】
【図１】本発明の第一の実施の形態に係る時計を示す全体図である。
【図２】前記第一の実施の形態の時計の外周部の一部の断面図である。
【図３】図２におけるIII-III線の断面図である。
【図４】本発明の第二の実施の形態に係る時計の外周部の一部の断面図である。
【発明を実施するための形態】
【００１５】
［第一の実施の形態］
以下に本発明に係る第一の実施の形態を図面に基づいて説明する。
図１は、本発明に係る第一の実施の形態の時計を示す全体平面図である。図２は、第一の実施の形態の時計の外周部の一部の断面図である。
【００１６】
［時計の概略構成］
図１において、時計１は、指針５を駆動させることで時刻を表示する装置である。本実施の形態では、時計１として、腕に装着可能な腕時計を例示するが、これに限定されるものではなく、例えば携帯可能な懐中時計など、いかなる携帯式時計であってもよく、さらに、携帯式時計に限らず、置き時計などの時計などにおいて、本発明を適用してもよい。
そして、時計１は、図１および図２に示すように、外装部材２と、風防ガラス３と、風防ガラス３から視認可能な文字板４と、外装部材２に収納されるムーブメント１０（図２参照）と、を備えている。
【００１７】
外装部材２は、図２に示すように、胴部２１と、風防保持部２２と、裏蓋２３と、ダイヤルリング２４と、を備えている。
【００１８】
胴部２１は、例えば金属により形成される略筒状部材である。この胴部２１は、時計厚み方向に沿う一端面に、風防保持段差部２１１が形成され、この風防保持段差部２１１に、例えばパッキンなどの防水部材６Ａを介して風防保持部２２が固定されている。また、胴部２１は、時計１の３時方向において、内外を貫通する挿通孔（図示略）を備え、この挿通孔にムーブメント１０に接続され、ムーブメントの動作を制御可能な竜頭７が挿通される。
また、胴部２１は、時計厚み方向に沿う他端側が時計内部側（ムーブメント１０に対向する側に突出する保持突出部２１２を備えている。さらに、この保持突出部２１２の内周面には、雌ネジ部２１２Ａが形成され、裏蓋２３に形成される雄ネジ部２３Ａが螺合されることで、裏蓋２３を固定する。さらに、胴部２１の他端面には、略環状の凹部２１３が形成されて、例えばパッキンなどの防水部材６Ｂが配設され、胴部２１および裏蓋２３の間の防水性が確保される。
さらに、胴部２１には、内外を貫通する図示しない竜頭孔が形成され、図１に示すような竜頭７がこの竜頭孔に貫通されて配置されている。
【００１９】
風防保持部２２は、環状に形成され、上述したように、防水部材６Ａを介して胴部２１に固定される。また、風防保持部２２の内周部には、防水部材６Ｃを介して風防ガラス３が固定される。
【００２０】
裏蓋２３は、略環状に形成され、胴部２１に対向する面に環状の雄ネジ部２３Ａが突出形成される。そして、上記したように、この雄ネジ部２３Ａを胴部２１の雌ネジ部２１２Ａに螺合させることで、裏蓋２３が胴部２１に固定される。そして、この裏蓋２３は、中心に形成される円形孔部２３１に、防水部材６Ｄを介して裏蓋風防ガラス８が固定される。
【００２１】
ダイヤルリング２４は、環状に形成され、後述する当接部材である文字板受リング２５とともに、文字板４を所定位置で位置決めする。具体的には、このダイヤルリング２４は、外周面に沿って、径外方向に突出する固定部２４１を備え、この固定部２４１は、風防保持部２２の内周部に係止される。また、ダイヤルリング２４の上面側は、風防ガラス３に対向する傾斜面が形成される。この傾斜面に例えば風防ガラス３から視認可能な目盛などが形成される構成としてもよい。
また、ダイヤルリング２４の下部には、胴部２１の保持突出部２１２の上面に対向する平面状の保持面２４２が形成されている。さらに、保持面２４２の内周側には、文字板４の外周面に当接する文字板保持突部２４３、および文字板４の上面の外周部に当接する文字板押さえ部２４４が形成されている。
【００２２】
文字板受リング２５は、略環状に形成され、上面が文字板４の下面に当接する。また、文字板受リング２５は、外周部から径外方向に突出する枠受部２５１を備え、この枠受部２５１は、後述する保持枠３０の上面に当接する。また、文字板受リング２５の下面側には、ムーブメント１０の地板１１を係止可能な係止段差部２５２が形成されている。
そして、文字板受リング２５は、上述したダイヤルリング２４の文字板押さえ部２４４とにより文字板４の外周部を挟み込むことで、文字板４を固定する。
【００２３】
ムーブメント１０は、内部に指針５を駆動させる駆動力を発生する駆動源、駆動源からの駆動力を指針５に伝達させて、指針５を所定駆動周期で駆動させる駆動輪列、指針５の駆動周期を調整する調速回路などを備えた装置である。なお、駆動源としては、ゼンマイを駆動させて駆動力を得る構成、ステッピングモーターを駆動させる構成など、いずれの構成としてもよい。また、ムーブメント内に二次電池を内蔵し、発電機構により発電される電力を二次電池に蓄電させて、二次電池の蓄電量により駆動源や駆動回路、調速回路を駆動させる構成などとしてもよい。さらには、ムーブメント１０内に、アンテナを内蔵し、時刻情報を有する電波を受信することで自動時刻修正を実施可能な電波時計や、ＧＰＳからの情報により時刻を修正するＧＰＳ時計などとしてもよい。
【００２４】
そして、ムーブメント１０は、図２に示すように、筒状に形成される保持枠３０に保持された状態で、時計１の外装部材２の内部に収納される。
具体的には、ムーブメント１０は、各構成が保持される地板１１を備え、この地板１１の外周部には、留め爪１２が複数、例えば均等間隔で固定されている。図３は、図２のIII-III線を断面した断面図である。図３に示すように、留め爪１２は、例えば弾性を有する金属などにより、長手形状に形成されている。そして、留め爪１２の長手方向の一端側が地板１１に例えばネジ止めにより固定され、他端側が保持枠３０に形成される係合孔３２に係合される。
【００２５】
保持枠３０は、例えば金属もしくは合成樹脂により形成される部材であり、図２および図３に示すように、筒状に形成される。そして、保持枠３０の内周面３１には、上述した留め爪１２を係止する係合孔３２が形成されている。
この係合孔３２は、留め爪１２の長手方向に直交する幅方向の寸法と、略同寸法の幅寸法ａに形成され、孔深さ寸法ｂは、留め爪１２の突出先端縁を係合可能な寸法に形成される。従って、係合孔３２に留め爪１２を係合させることで、ムーブメント１０の水平方向の移動が規制され、ムーブメント１０が所定位置に位置決めされ、外装部材２に対するムーブメント１０の回転が規制される。
なお、係合孔３２との幅寸法としては、これに限定されず、例えば、留め爪１２の回転が規制される構成に形成されていればよい。例えば、係合孔３２が留め爪１２の突出先端の回動軌跡に沿った形状に形成され、係合孔３２内に留め爪１２を位置決めする位置決め部が設けられる構成としてもよい。このような構成では、保持枠３０にムーブメント１０を固定する際に、留め爪１２を回動させるだけで係合孔３２に係合させることが可能となり、組み立て効率を向上させることが可能となる。
【００２６】
また、係合孔３２の時計厚み方向の寸法ｃは、留め爪１２の厚み寸法に対して大きく形成される。すなわち、係合孔３２は、時計厚み方向に対しては、留め爪１２が係合孔３２内で時計厚み方向に変位可能な形状に形成されている。
【００２７】
そして、保持枠３０の時計厚み方向に両側には、第一緩衝部材４１および第二緩衝部材４２が配置され、これら第一緩衝部材４１および第二緩衝部材４２を介して保持枠３０が時計１の内部に収納される。
具体的には、第一緩衝部材４１は、時計厚み方向における風防ガラス３側に配置される部材であり、断面Ｌ字型のリング形状に形成される。そして、第一緩衝部材４１は、保持枠３０の上面および外周面、ダイヤルリング２４の保持面２４２、および胴部２１の内周面に当接して配置され、ダイヤルリング２４や胴部２１から保持枠３０に伝わる衝撃を緩和する。第二緩衝部材４２は、時計厚み方向における裏蓋２３側に配置される部材であり、第一緩衝部材４１と同様、断面Ｌ字型のリング形状に形成される。そして、この第二緩衝部材４２は、保持枠３０の下面および外周面、胴部２１の保持突出部２１２の上面、および胴部２１の内周面に当接し、胴部２１から保持枠３０に伝わる衝撃を緩和する。これらの第一および第二緩衝部材４１，４２としては、衝撃が加わった際に弾性変形して衝撃力を吸収可能な素材であれば、いかなる素材により形成されていてもよく、例えば合成ゴムなどを用いることができる。
【００２８】
上述のような時計１では、ムーブメント１０は、文字板受リング２５の係止段差部２５２および留め爪１２により挟持されることで、時計１の内部で略浮いた状態で保持される。
すなわち、上述したように、ムーブメント１０は、地板１１の上面の外周部、および地板１１の外周面が、文字板受リング２５の係止段差部２５２に当接し、かつ地板１１に固定される留め爪１２が係合孔３２の時計厚み方向における裏蓋２３側の面に当接する。これにより、地板１１は、文字板受リング２５により文字板４側への移動が規制され、留め爪１２により裏蓋２３側への移動が規制され、時計厚み方向における所定高さ位置で保持される。
ここで、ムーブメント１０は、保持枠３０との間には、留め爪１２の長手寸法に応じた隙間が形成され、裏蓋２３との間にも隙間が形成される。したがって、ムーブメント１０は、地板１１の外周部のみで外装部材２に連結される構成となり、略浮いた状態で保持される。
【００２９】
上述したような時計１では、時計厚み方向に対して衝撃が加わった際、例えば風防保持部２２に衝撃が加わった場合、その衝撃力はダイヤルリング２４から第一緩衝部材４１に伝達され、ムーブメント１０への衝撃が緩和される。また、ダイヤルリング２４から文字板４、文字板受リング２５に衝撃力が伝達された場合でも、文字板受リング２５が保持枠３０に当接しているため、その衝撃力が保持枠３０に分散され、かつ保持枠３０から第二緩衝部材４２に衝撃力が吸収されることで、ムーブメント１０への衝撃が緩和される。さらに、衝撃により保持枠３０が時計厚み方向に対して振動した場合、例えば保持枠３０が裏蓋２３側に移動した場合、留め爪１２は係合孔３２内で移動可能であるため、留め爪１２からムーブメント１０に振動が伝達されない。さらに、例えば保持枠３０が衝撃により風防ガラス３側に移動した場合でも、留め爪１２が弾性を有するため、留め爪１２が撓むことにより衝撃が吸収され、ムーブメント１０に衝撃力が伝達されない。
さらには、時計１の水平方向に対して衝撃が加わった場合、例えば胴部２１に水平方向の衝撃が加わった場合、胴部からの衝撃が第一および第二緩衝部材４１，４２により吸収され、保持枠３０およびムーブメント１０には衝撃力が伝達されない。
また、ムーブメント１０が時計１の内部において、略浮いた状態で保持されているため、裏蓋２３や胴部２１から直接衝撃力が伝達されない。例えば、ムーブメント１０への衝撃を緩和するために裏蓋２３とムーブメント１０との間、ムーブメント１０と保持枠３０との間に緩衝部材を配置すると、緩衝部材により衝撃が緩和されるものの、この緩衝部材を介してムーブメントに衝撃が伝達されることとなる。これに対して、ムーブメント１０が浮いた状態で保持される本実施の形態の時計１では、裏蓋２３や胴部２１に衝撃が加わった場合でも、ムーブメント１０に直接衝撃が伝達されない。
【００３０】
［第一の実施の形態の作用効果］
上述したように、第一の実施の形態の時計１では、指針５を駆動させるムーブメント１０を保持する保持枠３０の時計厚み方向の両側に、第一および第二緩衝部材４１，４２が設けられ、保持枠３０はこれらの第一および第二緩衝部材４１，４２を介して外装部材２内に収納される。
このため、外装部材２に衝撃が加わった際に、第一および第二緩衝部材４１，４２により衝撃力が吸収されるため、保持枠３０に衝撃力が伝達されない、または伝達される衝撃力を抑えることができる。したがって、保持枠３０に保持されるムーブメント１０に伝達される衝撃力も緩和され、衝撃による時計精度の悪化などの悪影響を防止することができる。特に、本実施の形態のような腕時計では、風防ガラス３側から時計厚み方向に衝撃が加わる場合が多く想定され、このような時計厚み方向の衝撃に対して、保持枠３０の時計厚み方向の両端側に第一および第二緩衝部材４１，４２が配置されるため、衝撃をより効果的に吸収することができる。
【００３１】
また、ムーブメント１０の地板１１の外周部には、複数個所に留め爪１２が径外方向に突出形成され、保持枠３０の係合孔３２に係合され、地板１１の上面外周部は、文字板受リング２５の係止段差部２５２に係止されている。これにより、ムーブメント１０は、文字板受リング２５により風防ガラス３側への移動が規制され、留め爪１２により裏蓋２３側への移動が規制されることとなる。また、この時、保持枠３０とムーブメント１０との間には、留め爪１２の長手寸法に応じた隙間が形成されることで、保持枠３０からムーブメント１０での衝撃伝達経路が留め爪１２部分のみとなる。このため、保持枠３０に衝撃が加わった場合でも、保持枠３０がムーブメント１０に接していないため、衝撃の伝達が抑えられ、仮に衝撃力が加わった場合でも、留め爪１２部分のみで衝撃力が伝達されるため、その衝撃伝達量が小さく、衝撃によるムーブメント１０への影響をより効果的に抑えることができる。
また、外装部材２であるダイヤルリング２４に加わった衝撃は、ダイヤルリング２４に当接する第一緩衝部材４１にそのほとんどが吸収されることとなるが、衝撃力の一部が文字板４を介して、地板１１に当接する文字板受リング２５に伝達される場合もある。ここで、文字板受リング２５の下面が地板１１のみに当接する場合、その衝撃力がムーブメント１０のみに伝達されることとなる。これに対して、上記時計１では、文字板受リング２５が保持枠３０に当接されているため、文字板４を介して文字板受リング２５に伝達される衝撃力をさらに保持枠３０に分散させることができ、ムーブメント１０に伝達される衝撃をより確実に抑えることができる。
なお、本実施の形態では、地板１１と文字板受リング２５とが直接接する構成を例示したが、これに限定されず、例えば地板１１と、文字板受リング２５の係止段差部２５２との間に別途緩衝部材を設ける構成などとしてもよく、この場合、文字板受リング２５に伝達される衝撃を保持枠３０に逃がすことができることに加え、ムーブメント１０側に流れる衝撃力を緩衝部材により吸収することができ、より確実にムーブメント１０への衝撃伝達を防止することができる。
【００３２】
また、係合孔３２の幅寸法ａは、留め爪１２の幅寸法と同寸法に形成されている。
このため、ムーブメント１０が保持枠３０に対して回動せず、時計１の所定位置に確実に位置決めすることができる。
さらに、係合孔３２の高さ寸法ｃは、留め爪１２の厚み寸法よりも大きく形成されている。このため、衝撃により保持枠３０が時計厚み方向の裏蓋２３側に移動した場合でも、留め爪１２が係合孔３２内を時計厚み方向に移動することが可能でムーブメント１０への衝撃伝達をさらに確実に防止することができる。
さらには、留め爪１２は、弾性変形可能な金属素材により形成されている。このため、保持枠３０が衝撃により風防ガラス３に変位した場合でも、留め爪１２が撓むことでムーブメント１０での衝撃伝達をより確実に防止することができる。
【００３３】
そして、第一緩衝部材４１および第二緩衝部材４２は、断面略Ｌ字型の環状に形成され、これらの第一および第二緩衝部材４１，４２により保持枠３０の時計厚み方向に沿う両端面、および外周面の一部が覆われる。そして、第一緩衝部材４１は、上面側がダイヤルリング２４に、外周面が胴部２１の内周面に当接し、第二緩衝部材４２は、下面側が胴部２１の保持突出部２１２の上面に、外周面が胴部２１の内周面に当接している。
このため、これらの第一および第二緩衝部材４１，４２により、時計の厚み方向に対する衝撃だけでなく、胴部２１から内周面から伝達される水平方向に対する衝撃をも吸収することができ、ムーブメント１０への衝撃伝達をより確実に防止することができる。
【００３４】
［第二の実施の形態］
次に、本発明に係る第二の実施の形態の時計について、図面に基づいて説明する。
図４は、第二の実施の形態における時計の一部の断面図である。なお、第二の実施の形態の説明に当たり、第一の実施の形態と同一構成については同符号を付し、その説明を省略または簡略する。
【００３５】
上記第一の実施の形態では、保持枠３０の時計厚み方向の両側に第一および第二緩衝部材４１，４２の２部材を配置することでムーブメント１０への衝撃伝達を軽減させる構成を示したが、第二の実施の形態では、１部材の緩衝部材４３によりムーブメント１０への衝撃伝達を軽減する。
具体的には、第二の実施の形態の時計１は、第一の実施の形態と同様に、外装部材２の内部に、保持枠３０に保持されたムーブメント１０が収納される。ここで、第二の実施の形態の時計１は、図４に示すように、保持枠３０の時計厚み方向に一端面から外周面を経て他端面に亘る範囲で断面略コ字状の環形状に形成される緩衝部材４３を備えている。また、緩衝部材４３は、時計厚み方向における上面がダイヤルリング２４に当接し、時計厚み方向の下面が胴部２１の保持突出部２１２の上面に当接し、外周面の全面が胴部２１の内周面に当接して配置される。そして、この緩衝部材４３は、上述した第一および第二緩衝部材４１，４２と同様、例えば合成ゴムなど、弾性変形することで衝撃力を吸収可能な素材により形成される。
また、緩衝部材４３は、時計１の３時方向において内外を貫通する貫通孔（図示略）が形成され、この貫通孔に竜頭７が挿通される。
【００３６】
［第二の実施の形態の作用効果］
上記第二の実施の形態の時計１においても、第一の実施の形態と同様の効果が得られる。すなわち、外装部材２に衝撃が加わった際に、緩衝部材４３により衝撃力が吸収されるため、保持枠３０への衝撃伝達を抑えることができる。
また、ムーブメント１０の外周部から留め爪１２が突出して保持枠３０の係合孔３２に係合され、ムーブメント１０の地板１１が文字板受リング２５の係止段差部２５２に係止されている。このため、ムーブメント１０を時計１内の所定位置に位置決めすることができるとともに、ムーブメント１０および保持枠３０の間に隙間が形成されることで、保持枠３０に加えられた衝撃がムーブメント１０に伝達されず、より確実にムーブメントへの衝撃伝達を抑えることができる。
【００３７】
これに加えて、緩衝部材４３が１部材により形成されているため、時計１の組み立て効率を向上させることができる。また、緩衝部材４３の外周面の全面が胴部２１の内周面に当接するため、胴部２１に加えられた衝撃を緩衝部材４３全体に分散させることができ、衝撃をより軽減させることが可能となる。
【００３８】
〔実施の形態の変形〕
本発明は、前記実施の形態に限定されるものではなく、本発明の目的を達成できる他の構成等を含み、以下に示すような変形等も本発明に含まれる。
【００３９】
例えば、上記第一および第二の実施の形態では、時計１として腕時計を例示したが、これに限定されず、上述したように、例えば、懐中時計などのその他の携帯時計であってもよく、置き時計などの固定式時計であってもよい。
【００４０】
また、時計１の駆動方式としては、ゼンマイの駆動力をテンプなどの調速手段により調速して指針を駆動させる機械式時計や、水晶振動子から出力される周波数に基づいて、モーターにより駆動される指針を調速するクォーツ式時計など、いかなるタイプの時計に対しても本発明を適用することができる。また、指針を駆動させる時計に限らず、例えば液晶ディスプレイに時刻を表示させるデジタル表示時計などにおいても、上記構成を用いてもよく、電子回路や液晶回路が組み込まれるムーブメントを振動から保護することができる。
【００４１】
また、ムーブメント１０および文字板受リング２５の間にさらに緩衝部材を設ける構成としてもよく、留め爪１２および保持枠３０との間にも緩衝部材を設ける構成としてもよい。このような構成では、さらにムーブメント１０に伝達される衝撃を緩和することができる。
【００４２】
また、上記実施の形態において、第一緩衝部材４１および緩衝部材４３の上面が、外装部材２を構成するダイヤルリング２４に当接する構成としたが、これに限定されない。例えば、胴部２１の上端部に内径側に突出する突出部を形成し、この突出部に第一緩衝部材４１および緩衝部材４３の上面を当接させる構成としてもよく、風防保持部２２に第一緩衝部材４１および緩衝部材４３の上面を当接させる構成としてもよい。第二緩衝部材４２および緩衝部材４３の下面についても同様であり、胴部２１の保持突出部２１２の上面に当接する構成としたが、例えば裏蓋２３などに当接することで衝撃を吸収する構成としてもよい。
【００４３】
その他、本発明の実施の際の具体的な構造および手順は、本発明の目的を達成できる範囲で他の構造などに適宜変更できる。
【符号の説明】
【００４４】
１…時計、２…外装部材、１０…ムーブメント、１２…留め爪、２１…外装部材を構成する胴部、２２…外装部材を構成する風防保持部、２３…外装部材を構成する裏蓋、２４…外装部材を構成するダイヤルリング、２５…当接部材である文字板受リング、３０…保持枠、３２…係合孔、４１…第一緩衝部材、４２…第二緩衝部材、４３…緩衝部材。
【図１】
2010281663.tif 000003
【図２】
2010281663.tif 000004
【図３】
2010281663.tif 000005
【図４】
2010281663.tif 000006